(57)【要約】【課題】作成日時が新旧混在する複数の無線タグ回路素子が混在していたとしても所望の無線タグ回路素子より迅速かつ容易にデータの取得を行うことができる無線タグ通信装置、無線タグ、及び無線タグ通信システムを提供する。【解決手段】情報を記憶するＩＣ回路部１５０と情報を送受信するアンテナ１５１とを有し、ＩＣ回路部１５０にＵＩＤと作成日時情報とデータ本体とをそれぞれ記憶した複数の無線タグ回路素子Ｔoと無線通信により情報の送受信を行うためのアンテナ３０６Ｒと、このアンテナ３０６Ｒを介し、問いかけ信号を用いて、複数の無線タグ回路素子ＴoのＩＣ回路部１５０に記憶されたＵＩＤと作成日時情報とを取得し、この取得した作成日時情報とＵＩＤとに基づき、データ本体の取得対象となる無線タグ回路素子Ｔoを特定する制御回路３１１とを有する。【選択図】図２
2008123313.tif 000002
【特許請求の範囲】
【請求項１】
情報を記憶するＩＣ回路部にタグ識別情報と作成日時情報とを記憶した複数の第１無線タグ回路素子と無線通信により情報の送受信を行うための通信手段と、
前記通信手段を介し、問いかけ信号を用いて、前記複数の第１無線タグ回路素子の前記ＩＣ回路部に記憶された前記タグ識別情報と前記作成日時情報とを取得する情報取得手段と、
この情報取得手段で取得した前記作成日時情報と前記タグ識別情報とに基づき、前記複数の第１無線タグ回路素子から少なくとも一つの無線タグ回路素子を特定するタグ特定手段と
を有することを特徴とする無線タグ通信装置。
【請求項２】
請求項１記載の無線タグ通信装置において、
前記タグ特定手段で特定した前記第１無線タグ回路素子より、前記通信手段を介し、前記ＩＣ回路部に記憶されたデータ本体を取得するデータ取得手段を
有することを特徴とする無線タグ通信装置。
【請求項３】
請求項２記載の無線タグ通信装置において、
前記通信手段は、管理対象物品に関連して取り扱われ、前記ＩＣ回路部に、前記管理対象物品の対象物種類情報を含む前記データ本体を記憶した前記複数の第１無線タグ回路素子と通信を行い、
前記情報取得手段は、
前記対象物種類情報を含む前記データ本体を取得し、
前記タグ特定手段は、
前記対象物種類情報と前記タグ識別情報と前記作成日時情報とに基づき、前記第１無線タグ回路素子の特定を行う
ことを特徴とする無線タグ通信装置。
【請求項４】
請求項２又は請求項３のいずれか１項記載の無線タグ通信装置において、
前記タグ特定手段は、
前記作成日時情報が最新である前記第１無線タグ回路素子を特定することを特徴とする無線タグ通信装置。
【請求項５】
請求項２乃至請求項４のいずれか１項記載の無線タグ通信装置において、
前記通信手段は、
前記ＩＣ回路部に、前記管理対象物品の対象物情報を含む前記データ本体を記憶した前記複数の第１無線タグ回路素子と通信を行い、
前記データ取得手段は、
前記対象物情報を含む前記データ本体を取得し、
その取得した前記対象物情報を表示するための表示手段を設けた
ことを特徴とする無線タグ通信装置。
【請求項６】
請求項２乃至請求項５のいずれか１項記載の無線タグ通信装置において、
第２無線タグ回路素子を備えたタグ媒体を搬送する搬送手段と、
前記通信手段を介し、前記第２無線タグ回路素子の前記ＩＣ回路部に少なくともタグ識別情報及び作成日時情報を書き込み、新たな無線タグを作成する書き込み制御手段
を有することを特徴とする無線タグ通信装置。
【請求項７】
請求項６記載の無線タグ通信装置において、
前記書き込み制御手段は、
前記情報取得手段で取得したタグ識別情報及び作成日時情報に基づき、それらと少なくとも一部が異なる新たなタグ識別情報及び作成日時情報を、前記第２無線タグ回路素子の前記ＩＣ回路部に書き込むことを特徴とする無線タグ通信装置。
【請求項８】
請求項７記載の無線タグ通信装置において、
前記書き込み制御手段は、
前記データ取得手段で取得したデータ本体に基づき、これと少なくとも一部が異なる新たなデータ本体を、前記第２無線タグ回路素子の前記ＩＣ回路部に書き込むことを特徴とする無線タグ通信装置。
【請求項９】
請求項６乃至請求項８のいずれか１項記載の無線タグ通信装置において、
前記作成日時情報を生成するための時計手段を有する
ことを特徴とする無線タグ通信装置。
【請求項１０】
請求項６乃至請求項９のいずれか１項記載の無線タグ通信装置において、
前記搬送されるタグ媒体に前記作成日時情報又はこれに対応する情報を印字する印字手段を有する
ことを特徴とする無線タグ通信装置。
【請求項１１】
請求項１乃至請求項１０のいずれか１項に記載の無線タグ通信装置において、
操作者が携帯可能な携帯型通信装置として構成されたことを特徴とする無線タグ通信装置。
【請求項１２】
管理対象物品に関連して取り扱われ、情報を記憶するＩＣ回路部と情報を送受信するタグ側アンテナとを備えた無線タグ回路素子を有する無線タグであって、
前記ＩＣ回路部は、
タグ識別情報と、
前記管理対象物品の対象物種類情報を含むデータ本体と、
作成日時情報と
を記憶保持していることを特徴とする無線タグ。
【請求項１３】
情報を記憶するＩＣ回路部に、タグ識別情報と作成日時情報とを記憶した複数の無線タグ回路素子と、
これら複数の無線タグ回路素子と無線通信により情報の送受信を行うための通信手段、この通信手段を介し問いかけ信号を用いて前記複数の無線タグ回路素子の前記ＩＣ回路部に記憶された前記タグ識別情報と前記作成日時情報とを取得する情報取得手段、及び、この情報取得手段で取得した前記作成日時情報と前記タグ識別情報とに基づき、前記複数の無線タグ回路素子から少なくとも一つの無線タグ回路素子を特定するタグ特定手段を有する無線タグ通信装置と
を有することを特徴とする無線タグ通信システム。
【発明の詳細な説明】
【技術分野】
【０００１】
本発明は、外部と情報の無線通信が可能な無線タグ、この無線タグと無線通信により情報の送受信を行う無線タグ通信装置、及びこの無線タグ通信装置を有する無線タグ通信システムに関するものである。
【背景技術】
【０００２】
小型の無線タグと、リーダ（読み取り装置）／ライタ（書き込み装置）との間で非接触で情報の読み取り／書き込みを行うＲＦＩＤ（Radio Frequency Identification）システムが知られている。無線タグラベルに備えられた無線タグ回路素子は、所定の無線タグ情報を記憶するＩＣ回路部とこのＩＣ回路部に接続されて情報の送受信を行うアンテナとを備えており、無線タグラベルが汚れている場合や見えない位置に配置されている場合であっても、質問器側よりＩＣ回路部の無線タグ情報に対してアクセス（情報の読み取り／書き込み）が可能であり、商品管理や検査工程等の様々な分野において実用が期待されている。
【０００３】
このように種々の分野において活用されつつある無線タグを用いた無線通信システムの１つとして、複数の無線タグ回路素子に対し無線通信により情報の読み取りを行う無線タグ通信装置がある（例えば、特許文献１参照）。この無線タグ通信装置においては、複数の無線タグ回路素子に対して問いかけ信号を送信し、通信範囲内に存在する各無線タグ回路素子から応答信号を受信することにより、それら無線タグ回路素子の情報の読み取りが行われるようになっている。
【０００４】
【特許文献１】特開平１１−１４９５３０号公報
【発明の開示】
【発明が解決しようとする課題】
【０００５】
上記従来技術の無線タグ通信装置では、複数の無線タグ回路素子の情報の読み取りを行うことが可能である。しかしながら、例えば無線タグ回路素子に書き込まれた対象物に関する情報に更新が生じた場合であって、上記複数の無線タグ回路素子の中に、上記対象物の更新前の情報が書き込まれた無線タグ回路素子と更新後の情報が書き込まれた無線タグ回路素子の両方が存在する場合、更新前の情報については不要であるにも拘らず、上記従来技術の無線タグ通信装置では両方の無線タグ回路素子から情報を読み取ることになり、無駄な情報の読み取りを行うことになる。
【０００６】
本発明の目的は、作成日時が新旧混在する複数の無線タグ回路素子が混在していたとしても所望の無線タグ回路素子より迅速かつ容易にデータの取得を行うことができる無線タグ通信装置、無線タグ、及び無線タグ通信システムを提供することにある。
【課題を解決するための手段】
【０００７】
上記目的を達成するために、第１の発明は、情報を記憶するＩＣ回路部にタグ識別情報と作成日時情報とを記憶した複数の第１無線タグ回路素子と無線通信により情報の送受信を行うための通信手段と、前記通信手段を介し、問いかけ信号を用いて、前記複数の第１無線タグ回路素子の前記ＩＣ回路部に記憶された前記タグ識別情報と前記作成日時情報とを取得する情報取得手段と、この情報取得手段で取得した前記作成日時情報と前記タグ識別情報とに基づき、前記複数の第１無線タグ回路素子から少なくとも一つの無線タグ回路素子を特定するタグ特定手段とを有することを特徴とする。
【０００８】
本願第１発明においては、複数の第１無線タグ回路素子のそれぞれが、ＩＣ回路部にタグ識別情報と作成日時情報を記憶しており、これら複数の第１無線タグ回路素子に対し、通信手段を介した無線通信により情報送受信が行われる。このとき、情報取得手段が問いかけ信号を用いて各第１無線タグ回路素子よりタグ識別情報と作成日時情報とを取得し、タグ特定手段がその作成日時情報とタグ識別情報とに基づいて、複数の第１無線タグ回路素子から少なくとも一つの無線タグ回路素子を特定する。これにより、無線タグ通信装置からの通信範囲に、作成日時が新旧混在する複数の無線タグ回路素子が混在していたとしても、例えばそれぞれの作成日時が古いか新しいかに応じて所望の無線タグ回路素子を選択することによって、一つの無線タグ回路素子を特定することができる。この結果、所望の無線タグ回路素子より迅速かつ容易にデータ本体の取得を行うことが可能となる。
【０００９】
第２の発明は、上記第１発明において、前記タグ特定手段で特定した前記第１無線タグ回路素子より、前記通信手段を介し、前記ＩＣ回路部に記憶されたデータ本体を取得するデータ取得手段を有することを特徴とする。
【００１０】
これにより、タグ特定手段で特定した所望の第１無線タグ回路素子から迅速かつ容易にデータ本体を取得することができる。
【００１１】
第３の発明は、上記第２発明において、前記通信手段は、管理対象物品に関連して取り扱われ、前記ＩＣ回路部に、前記管理対象物品の対象物種類情報を含む前記データ本体を記憶した前記複数の第１無線タグ回路素子と通信を行い、前記情報取得手段は、前記対象物種類情報を含む前記データ本体を取得し、前記タグ特定手段は、前記対象物種類情報と前記タグ識別情報と前記作成日時情報とに基づき、前記第１無線タグ回路素子の特定を行うことを特徴とする。
【００１２】
これにより、タグ特定手段が、作成日時情報のみならず、対象物種類情報によっても絞り込んで無線タグ回路素子を選択特定できるので、さらに迅速かつ容易に所望の無線タグ回路素子よりデータ本体の取得を行うことができる。
【００１３】
第４の発明は、上記第２又は第３発明において、前記タグ特定手段は、前記作成日時情報が最新である前記第１無線タグ回路素子を特定することを特徴とする。
【００１４】
これにより、作成日時が最も新しい第１無線タグ回路素子を選択特定し、データ本体の取得を行うことができる。この結果、同一管理対象物に対して複数の無線タグが作成されていた場合でも、確実に最も最近に作成された無線タグの無線タグ回路素子より最新のデータ本体の取得を行うことができる。
【００１５】
第５の発明は、上記第２乃至第４発明のいずれかにおいて、前記通信手段は、前記ＩＣ回路部に、前記管理対象物品の対象物情報を含む前記データ本体を記憶した前記複数の第１無線タグ回路素子と通信を行い、前記データ取得手段は、前記対象物情報を含む前記データ本体を取得し、その取得した前記対象物情報を表示するための表示手段を設けたことを特徴とする。
【００１６】
これにより、データ本体の取得を行った第１無線タグ回路素子に対応する管理対象物品を、視覚的に確実に操作者（管理者）に報知することができる。
【００１７】
第６の発明は、上記第２乃至第５発明のいずれかにおいて、第２無線タグ回路素子を備えたタグ媒体を搬送する搬送手段と、前記通信手段を介し、前記第２無線タグ回路素子の前記ＩＣ回路部に少なくともタグ識別情報及び作成日時情報を書き込み、新たな無線タグを作成する書き込み制御手段を有することを特徴とする。
【００１８】
本願第６発明においては、無線タグ通信装置が無線タグ作成機能を備えており、搬送手段で搬送されるタグ媒体に備えられた第２無線タグ回路素子に対し、書き込み制御手段で情報書き込みが行われ、無線タグが作成される。このとき、書き込み制御手段は、第２無線タグ回路素子のＩＣ回路部に対し、タグ識別情報と作成日時情報とを書き込む。
【００１９】
これにより、このようにして作成された複数の無線タグ回路素子（第１無線タグ回路素子）に対してのちに情報読み取りを行おうとする場合に、読み取り通信範囲に、作成日時が新旧混在する複数の第１無線タグ回路素子が混在していたとしても、それぞれの作成日時が古いか新しいかに応じて所望の無線タグ回路素子を選択し、（そのタグ識別情報により）特定することが可能となる。
【００２０】
第７の発明は、上記第６発明において、前記書き込み制御手段は、前記情報取得手段で取得したタグ識別情報及び作成日時情報に基づき、それらと少なくとも一部が異なる新たなタグ識別情報及び作成日時情報を、前記第２無線タグ回路素子の前記ＩＣ回路部に書き込むことを特徴とする。
【００２１】
本願第７発明においては、第１無線タグ回路素子のＩＣ回路部に記憶されたタグ識別情報と作成日時情報とを通信手段を介し情報取得手段で取得し、それらに基づき、それらと少なくとも一部が異なるタグ識別情報と作成日時情報とを用いて書き込み制御手段が第２無線タグ回路素子のＩＣ回路部に書き込みを行い、新たな無線タグを作成する。
【００２２】
このようにして、第１無線タグ回路素子の記憶結果を用い、その一部を変更した情報書き込みを行って無線タグを作成することができる。これにより、ひとつの管理対象物に対して一旦無線タグを作成した後、対応する情報の更新が生じて新たに同一管理対象物に対し無線タグを作成したい場合に、最初に作成した無線タグに備えられた無線タグ回路素子（第１無線タグ回路素子）から情報を読み取り、その一部を最新の情報に置き換えて容易に新たな無線タグを作成することができる。
【００２３】
第８の発明は、上記第７発明において、前記書き込み制御手段は、前記データ取得手段で取得したデータ本体に基づき、これと少なくとも一部が異なる新たなデータ本体を、前記第２無線タグ回路素子の前記ＩＣ回路部に書き込むことを特徴とする。
【００２４】
これにより、最初に作成した無線タグに備えられた第１無線タグ回路素子から情報を読み取り、そのうちデータ本体の少なくとも一部を最新の情報に置き換え、新たな無線タグを作成することができる。
【００２５】
第９の発明は、上記第６乃至第８発明のいずれかにおいて、前記作成日時情報を生成するための時計手段を有することを特徴とする。
【００２６】
時計手段で計時して作成した作成日時情報を用い、これをＩＣ回路部に書き込んで新たな無線タグを作成することができる。
【００２７】
第１０の発明は、上記第６乃至第９発明のいずれかにおいて、前記搬送されるタグ媒体に前記作成日時情報又はこれに対応する情報を印字する印字手段を有することを特徴とする。
【００２８】
印字手段で作成日時情報又はこれに対応する情報を印字することにより、作成日時が新旧混在する複数の無線タグ回路素子が混在していたとしても、それぞれの無線タグ回路素子を有する無線タグに印字された作成日時情報又はこれに対応する情報を視認することにより、ユーザは所望の無線タグ回路素子（例えば最新の無線タグ回路素子）を容易に選択し、特定することができる。
【００２９】
第１１の発明は、上記第１乃至第１０発明のいずれかにおいて、操作者が携帯可能な携帯型通信装置として構成されたことを特徴とする。
【００３０】
これにより、操作者（管理者）が携帯し容易に持ち運ぶことができる通信装置を用いて、所望の第１無線タグ回路素子を選択特定し、迅速かつ容易にデータ本体の取得を行うことが可能となる。
【００３１】
上記目的を達成するために、第１２の発明は、管理対象物品に関連して取り扱われ、情報を記憶するＩＣ回路部と情報を送受信するタグ側アンテナとを備えた無線タグ回路素子を有する無線タグであって、前記ＩＣ回路部は、タグ識別情報と、前記管理対象物品の対象物種類情報を含むデータ本体と、作成日時情報とを記憶保持していることを特徴とする。
【００３２】
本願第１２発明の無線タグにおいては、無線タグ回路素子のＩＣ回路部に、タグ識別情報以外に作成日時情報を記憶している。これにより、このような構成の複数の無線タグに対し、読み取り装置側から無線通信により情報送受信が行われるとき、問いかけ信号を用いて各無線タグよりタグ識別情報と作成日時情報と対象物種類情報を含むデータ本体とを取得し、その作成日時情報とタグ識別情報とに基づいて、さらに対象物種類情報によっても絞り込んで、複数の無線タグから少なくとも一つの無線タグを特定することが可能となる。したがって、読み取り装置からの通信範囲に、作成日時が新旧混在する複数の無線タグが混在していたとしても、例えばそれぞれの作成日時が古いか新しいかに応じて所望の無線タグを選択することによって、一つの無線タグを特定することができる。この結果、所望の無線タグより迅速かつ容易にデータ本体の取得を行うことが可能となる。
【００３３】
上記目的を達成するために、第１３の発明は、情報を記憶するＩＣ回路部に、タグ識別情報と作成日時情報とを記憶した複数の無線タグ回路素子と、これら複数の無線タグ回路素子と無線通信により情報の送受信を行うための通信手段、この通信手段を介し問いかけ信号を用いて前記複数の無線タグ回路素子の前記ＩＣ回路部に記憶された前記タグ識別情報と前記作成日時情報とを取得する情報取得手段、及び、この情報取得手段で取得した前記作成日時情報と前記タグ識別情報とに基づき、前記複数の無線タグ回路素子から少なくとも一つの無線タグ回路素子を特定するタグ特定手段を有する無線タグ通信装置とを有することを特徴とする。
【００３４】
本願第１３発明においては、複数の無線タグ回路素子のそれぞれが、ＩＣ回路部にタグ識別情報と作成日時情報を記憶しており、これら複数の無線タグ回路素子に対し、無線タグ通信装置が通信手段を介した無線通信により情報送受信を行う。このとき、無線タグ通信装置では、情報取得手段が問いかけ信号を用いて各無線タグ回路素子よりタグ識別情報と作成日時情報とを取得し、タグ特定手段がその作成日時情報とタグ識別情報とに基づいて、複数の無線タグ回路素子から少なくとも一つの無線タグ回路素子を特定する。これにより、無線タグ通信装置からの通信範囲に、作成日時が新旧混在する複数の無線タグ回路素子が混在していたとしても、例えばそれぞれの作成日時が古いか新しいかに応じて所望の無線タグ回路素子を選択することによって、一つの無線タグ回路素子を特定することができる。この結果、所望の無線タグ回路素子より迅速かつ容易にデータ本体の取得を行うことが可能となる。
【発明の効果】
【００３５】
本発明によれば、所望の無線タグ回路素子より迅速かつ容易にデータの取得を行うことができる。
【発明を実施するための最良の形態】
【００３６】
以下、本発明の一実施の形態を図面を参照しつつ説明する。本実施形態は、本発明の無線タグ通信装置を機器の点検管理に適用した例である。
【００３７】
図１は、点検者Ｍが装置ＤＶの点検を終了し、その内容を記録したタグラベル（無線タグ）を作成するときの様子を示す図である。なお、この図１は２回目の点検が行われた際の様子を示している。
【００３８】
この図１において、本実施形態の管理対象物品である装置ＤＶは所定の作業を行う装置であり、定期的に点検が行われるようになっている。装置ＤＶの側面には、情報を記憶するＩＣ回路部１５０と情報を送受信するアンテナ１５１（タグ側アンテナ）とを有する無線タグ回路素子Ｔo（後述の図５参照）を備えたタグラベルＴ１が添付（同梱、貼り付け等を含む）されており、上記ＩＣ回路部１５０にはタグラベルＴ１の作成日時（言い換えれば１回目の定期点検の日時）を表す作成日時情報（タグラベルＴ１が書き換え（更新）された場合の更新日時情報を含む）や点検内容（例えば部品交換等）を表す情報等が記憶されている（後述の図８参照）。なお、この図１では煩雑防止のため図示省略するが、タグラベルＴ１のラベル表面には装置ＤＶの名称や１回目の点検日時、点検内容（たとえば交換した部品名等）が印字されている（後述の図７参照）。
【００３９】
点検者Ｍは、２回目の点検を終えると当該点検内容を書き込んだタグラベルＴ２を作成する。このとき、図１（ａ）に示すように、まず点検者ＭはハンディリーダライタＲＷを装置ＤＶの側面に添付された上記タグラベルＴ１に近づけ、タグラベルＴ１に備えられる無線タグ回路素子Ｔoのタグデータの読み取りを行う。上記ハンディリーダライタＲＷ（無線タグ通信装置、携帯型通信装置）は、無線タグ回路素子からタグデータを読み出すリーダとしての機能及び無線タグ回路素子にタグデータを書き込むとともに対応する印字を行うことによりタグラベルＴを作成するラベル作成器としての機能を併せ持ち、操作者が携帯可能な携帯型の通信装置である。
【００４０】
次に、点検者ＭがハンディリーダライタＲＷの操作部３１０（後述の図２参照）を用いて点検内容を入力すると、この入力データ及び自動的に作成される日時情報に基づき上記タグラベルＴ１から読み込んだ読み取りデータの一部が更新されてタグデータが作成され、図１（ｂ）に示すように当該タグデータが書き込まれた無線タグ回路素子Ｔoを有するタグラベルＴ２が作成される。
【００４１】
そして、図１（ｃ）に示すように、点検者Ｍは作成したタグラベルＴ２を装置ＤＶの側面のタグラベルＴ１近傍に取り付ける。以上のようにして点検作業が終了する。
【００４２】
図２は、上記ハンディリーダライタＲＷの全体構成を概念的に表す全体構成図である。
【００４３】
図２において、ハンディリーダライタＲＷは、上記のようにリーダとしての機能及び無線タグラベル作成機能を備えている。すなわち、ハンディリーダライタＲＷは、外部の無線タグ回路素子Ｔo（第１無線タグ回路素子）との間で無線通信により情報の送受信を行いタグデータの読み取りを行うアンテナ３０６Ｒ（通信手段）及び高周波回路３０１Ｒと、所定間隔で無線タグ回路素子Ｔo（第２無線タグ回路素子）が備えられたタグテープ３０３（タグ媒体）を巻回したタグテープロール３０４と、このタグテープロール３０４から繰り出されたタグテープ３０３のうち各無線タグ回路素子Ｔoに対応した領域に所定の印字を行う印字ヘッド３０５と、タグテープ３０３を搬送する搬送ローラ３０８（搬送手段）と、無線タグ回路素子Ｔoとの間で無線通信により情報の送受信を行いタグデータの書き込みを行うアンテナ３０６Ｗ（通信手段）及び高周波回路３０１Ｗと、タグテープ３０３への印字及び無線タグ回路素子Ｔoへの情報書き込みが終了したタグテープ３０３を所定の長さに切断して前述の無線タグラベルＴとするカッタ３０７と、無線タグ回路素子Ｔoから読み取った無線タグ情報や、上記点検日時（タグラベル作成日時）及び点検内容の入力画面等の表示を行うための表示部３０９（表示手段）と、点検者が操作入力を行うための適宜のボタン、キー等を備えた上記操作部３１０と、上記日時情報を作成するための計時回路（時計手段）３０２と、以上の高周波回路３０１Ｒ，３０１Ｗ、計時回路３０２、印字ヘッド３０５、搬送ローラ３０８、カッタ３０７、及び表示部３０９等の制御を行う制御回路３１１とを有する。
【００４４】
図３は、上記ハンディリーダライタＲＷの制御系の構成を表す機能ブロック図である。なお、高周波回路３０１Ｗ，３０１Ｒは同等の構成であるので、この図３においては同一の回路で図示している。
【００４５】
図３において、高周波回路３０１Ｗ（または高周波回路３０１Ｒ。以下対応関係同じ）は、アンテナ３０６Ｗ（またはアンテナ３０６Ｒ）を介し無線タグ回路素子Ｔoに対して信号を送信する送信部３１２と、アンテナ３０６Ｗ（またはアンテナ３０６Ｒ）により受信された無線タグ回路素子Ｔoからの反射波を入力する受信部３１３と、送受分離器３１４とから構成される。
【００４６】
送信部３１２は、無線タグ回路素子ＴoのＩＣ回路部１５０の無線タグ情報を読み取るための搬送波を発生させる水晶振動子３３０、制御回路３１１の制御により所定の周波数の信号を発生させるＰＬＬ（Phase  Locked  Loop）３３１、及びＶＣＯ（Voltage  Controlled  Oscillator）３３２と、上記制御回路３１１から供給される信号に基づいて上記発生させられた搬送波を変調（この例では制御回路３１１からの「ＴＸ＿ＡＳＫ」信号に基づく振幅変調）する送信乗算回路３１６（但し「ＴＸ＿ＡＳＫ信号」の場合は増幅率可変アンプ等を用いてもよい）と、その送信乗算回路３１６により変調された変調波を増幅（この例では制御回路３１１からの「ＴＸ＿ＰＷＲ」信号によって増幅率を決定される増幅）する送信アンプ３１７とを備えている。そして、上記発生される搬送波は、好適にはＵＨＦ帯、マイクロ波帯、あるいは短波帯の周波数を用いており、上記送信アンプ３１７の出力は、送受分離器３１４を介しアンテナ３０６Ｗ（またはアンテナ３０６Ｒ）に伝達されて、無線タグ回路素子ＴoのＩＣ回路部１５０に供給される。なお、無線タグ情報は上記のように変調した信号に限られず、単なる搬送波のみの場合もある。
【００４７】
受信部３１３は、アンテナ３０６Ｗ（またはアンテナ３０６Ｒ）で受信された無線タグ回路素子Ｔoからの反射波と上記発生させられた搬送波とを乗算して復調する受信第１乗算回路３１８と、その受信第１乗算回路３１８の出力から必要な帯域の信号のみを取り出すための第１バンドパスフィルタ３１９と、この第１バンドパスフィルタ３１９の出力を増幅する受信第１アンプ３２１と、この受信第１アンプ３２１の出力をさらに増幅してデジタル信号に変換する第１リミッタ３２０と、上記アンテナ３０６Ｗ（またはアンテナ３０６Ｒ）で受信された無線タグ回路素子Ｔoからの反射波と上記発生された後に移相器３２７により位相を９０°遅らせた搬送波とを乗算する受信第２乗算回路３２２と、その受信第２乗算回路３２２の出力から必要な帯域の信号のみを取り出すための第２バンドパスフィルタ３２３と、この第２バンドパスフィルタ３２３の出力を増幅する受信第２アンプ３２５と、この受信第２アンプ３２５の出力をさらに増幅してデジタル信号に変換する第２リミッタ３２４とを備えている。そして、上記第１リミッタ３２０から出力される信号「ＲＸＳ−Ｉ」及び第２リミッタ３２４から出力される信号「ＲＸＳ−Ｑ」は、上記制御回路３１１に入力されて処理される。
【００４８】
また、受信第１アンプ３２１及び受信第２アンプ３２５の出力は、強度検出手段としてのＲＳＳＩ（Received  Signal  Strength  Indicator)回路３２６にも入力され、それらの信号の強度を示す信号「ＲＳＳＩ」が制御回路３１１に入力されるようになっている。このようにして、本実施形態のハンディリーダライタＲＷでは、Ｉ−Ｑ直交復調によって無線タグ回路素子Ｔoからの反射波の復調が行われる。
【００４９】
また、制御回路３１１は、操作部３１０からの操作信号を入力するとともに、表示部３０９への表示制御信号等を出力する。
【００５０】
図４は、上記制御回路３１１の詳細機能を表す機能ブロック図である。
【００５１】
図４において、制御回路３１１は、いわゆるマイクロコンピュータであり、中央演算処理装置であるＣＰＵ３１１Ａ、ＲＯＭ３１１Ｂ、ＲＡＭ３１１Ｃ、高周波回路３０１Ｗ，３０１Ｒとの信号送受を行う回路制御部３１１Ｄ等から構成され、ＲＡＭ３１１Ｃの一時記憶機能を利用しつつＲＯＭ３１１Ｂに予め記憶されたプログラムに従って信号処理を行うようになっている。
【００５２】
図５は、タグテープ３０３及びタグラベルＴに備えられた上記無線タグ回路素子Ｔoの機能的構成の一例を表すブロック図である。
【００５３】
図５において、無線タグ回路素子Ｔoは、ハンディリーダライタＲＷのアンテナ３０６Ｗ（またはアンテナ３０６Ｒ）と非接触で信号の送受信を行う上記アンテナ１５１と、このアンテナ１５１に接続された上記ＩＣ回路部１５０とをそれぞれ有している。
【００５４】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して後述する制御部１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４及び変復調部１５６等を介して上記無線タグ回路素子Ｔoの作動を制御するための制御部１５７とを備えている。
【００５５】
変復調部１５６は、アンテナ１５１により受信された上記ハンディリーダライタＲＷのアンテナ３０６Ｗ（またはアンテナ３０６Ｒ）からの通信信号の復調を行うと共に、上記制御部１５７からの返信信号に基づき、アンテナ１５１が受信した搬送波を変調し、アンテナ１５１より反射波として再送信する。制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００５６】
クロック抽出部１５４は受信した信号からクロック成分を抽出して制御部１５７にクロックを抽出するものであり、受信した信号のクロック成分の速度に対応したクロックを制御部１５７に供給する。
【００５７】
図６は、上記ハンディリーダライタＲＷで２回目の点検内容を表すタグラベルＴ２の作成を行う際に、制御回路３１１が実行する制御手順を表すフローチャートである。例えば点検者ＭによりハンディリーダライタＲＷの上記操作部３１０を介してラベル作成開始指示が入力されることによって、このフローが開始される。
【００５８】
この図６において、まずステップＳ１０では、高周波回路３０１Ｒ及びアンテナ３０６Ｒを介し、タグラベルＴ１の無線タグ回路素子ＴoのＩＣ回路部１５０に記憶された情報を読み取るための問い合わせ信号を生成して高周波回路３０１Ｒを介して通信範囲内に存在する無線タグ回路素子Ｔoに送信し、返信を促す。
【００５９】
その後、ステップＳ２０に移り、上記問い合わせ信号に対応し無線タグ回路素子Ｔoから送信（返信）されたリプライ信号がアンテナ３０６Ｒを介し受信され、高周波回路３０１Ｒを介し制御回路３１１へ取り込まれたかどうかを判定する。リプライ信号が受信されていなければ判定が満たされず、上記ステップＳ１０に戻って同様の手順を繰り返す。リプライ信号が受信されたら判定が満たされ、次のステップＳ３０へ移る。
【００６０】
ステップＳ３０では、上記無線タグ回路素子Ｔoから受信されたリプライ信号に基づき、タグラベルＴ１（以下適宜「旧タグ」と記載する）のＩＣ回路部１５０に記憶されている無線タグ情報、すなわち、タグ識別情報であるＵＩＤ（UNIQUE Identifier）、物品種別情報（対象物種類情報。例えば装置ＤＶがオシロスコープである場合には「計測器」等）、物品名（装置ＤＶの名称、品番等）、その他の情報（１回目の点検内容。例えば「部品Ａの交換」等）、及び日時情報を読み出して取得する（後述の図８参照）。これにより、装置ＤＶの１回目の定期点検に関する情報を取得する。なお、これらの読み出した情報は適宜の記憶手段（例えば制御回路３１１が有する前記ＲＡＭ３１１Ｃ等）に一時的に記憶される。
【００６１】
次のステップＳ４０では、上記ステップＳ３０で取得したタグデータの中から、新規に作成するタグラベルＴ２（以下適宜「新タグ」と記載する）にそのまま引き継いで記憶させる引継データを抽出する。ここでは、上記物品種別情報及び物品名を引継データとして抽出する。なお、この引継データは適宜の記憶手段（例えば制御回路３１１が有する前記ＲＡＭ３１１Ｃ等）に一時的に記憶される。
【００６２】
次のステップＳ５０では、更新データを入力する。ここでは、その他情報（２回目の点検内容。例えば「部品Ｂの交換）等）及び点検日時（タグラベル作成日時）情報が更新データに該当する。すなわち、上記日時情報については計時回路３０２から入力する。一方、上記その他情報については、表示部３０９に表示信号を出力して表示部３０９に更新データの入力画面を表示させ、この入力画面にしたがって点検者Ｍが操作部３１０を用いて入力した更新データを入力する。
【００６３】
次のステップＳ６０では、上記ステップＳ４０で抽出した引継データと上記ステップＳ５０で入力した更新データとを合わせることにより、作成するタグラベルＴ２の無線タグ回路素子Ｔoに書き込むためのタグデータを作成する。
【００６４】
次のステップＳ７０では、上記ステップＳ４０で抽出した引継データと上記ステップＳ５０で入力した更新データとに基づき、適宜の文字（または図、写真等でもよい）からなる印字データを作成する。例えば、物品名、点検内容、及び点検日時等が印刷される（後述の図７参照）。なお、ここでは上記引継データ及び更新データに基づき制御回路３１１で自動的に印字データを作成するようにしたが、これに限られず、点検者Ｍが上記操作部３１０を用いて印字データを入力するようにしてもよい。
【００６５】
その後、ステップＳ８０に移り、高周波回路３０１Ｗによりアクセス情報を生成してアンテナ３０６Ｗを介してタグテープ３０３の無線タグ回路素子Ｔoへ送信し、ＩＣ回路部１５０へ上記ステップＳ６０で作成したタグデータの書き込みを行う。また、上記ステップＳ７０で作成した印字データに基づいた印字ヘッド３０５による印字を行う。
【００６６】
次のステップＳ９０では、タグテープ３０３への印字及び無線タグ回路素子Ｔoへの情報書き込みが終了したタグテープ３０３をカッタ３０７で所定の長さに切断し、無線タグラベルＴを形成する。そして、このフローを終了する。
【００６７】
なお、上記フローにおいて、ステップＳ８０の手順は、特許請求の範囲各項記載の通信手段を介し、第２無線タグ回路素子のＩＣ回路部に少なくともタグ識別情報及び作成日時情報を書き込み、新たな無線タグを作成する書き込み制御手段を構成する。
【００６８】
図７は、上記制御によりハンディリーダライタＲＷで作成されたタグラベルＴ２の全体概略構造の一例を表す上面図である。
【００６９】
この図７において、タグラベルＴ２はラベル状に形成されており、情報を記憶するＩＣ回路部１５０とこのＩＣ回路部１５０に接続されるアンテナ１５１とを備えた無線タグ回路素子Ｔoを内部に備えている。
【００７０】
タグラベルＴ２の表側（上面）の印字領域Ｓには、上記ステップＳ７０で作成された印字データが印刷されている。この例では、物品名として装置名称である「○○装置」、装置ＤＶの２回目の点検内容である「部品Ｂの交換」、及びその点検日時（タグラベル作成日時）である「○○○○年□□月△△日」が印刷されている。
【００７１】
このように、ラベル表面に点検日時（タグラベル作成日時）を印字することにより、管理対象物品である装置ＤＶに複数のタグラベル（この場合にはＴ１，Ｔ２）が貼られている場合にも点検者（または管理者等）はどれが最新のタグラベルであるか容易に識別できるようになっている。なお、識別を容易にするために、最新情報ラベルである旨を示す表示を印刷するようにしてもよい。
【００７２】
また、ここでは上記物品名、点検内容、点検日時を印刷した場合を例にとって説明したが、これに限られず、これらの情報のうちの一部を印刷してもよいし、これらの情報以外（例えば上述の最新情報ラベルである旨を示す表示等）を印刷するようにしてもよい。また、印刷を全く行わずにタグラベルＴを作成してもよい。
【００７３】
図８は、上記タグラベルＴ１（旧タグ）の無線タグ回路素子Ｔoの記憶内容と新たに作成された上記タグラベルＴ２（新タグ）の無線タグ回路素子Ｔoの記憶内容とを概念的に表し比較した図である。
【００７４】
この図８において、無線タグ回路素子Ｔoに記憶される物品種別情報及び物品名は前述したように引継データであり、タグラベルＴ１からタグラベルＴ２に同等の内容で引き継がれる。なお、物品種別情報については必ずしもタグに記憶させなくともよい。一方、その他の情報としての点検内容を表す情報については、タグラベルＴ１の内容が任意に一部または全部が更新されてタグラベルＴ２に書き込まれる。なお、本実施形態では１回目と２回目の点検内容が異なる場合を例にとって説明したが、例えば同じ部品を交換した等１回目と２回目の点検内容が同等である場合にはその他の情報を更新せずにそのまま同等の内容で引き継ぐようにしてもよい。また、日時情報については、タグラベル作成の際に毎回更新される。この日時情報としては、本実施形態では前述の図７に示すように暦情報を用いるが、例えば１９７０年１月１日０時０分０秒からの経過時間であるＵＮＩＸ(登録商標）時間を用いてもよい。さらには、このような時間情報でなく対応したコードを用いてもよい。なお、無線タグ回路素子Ｔoの固有の識別子である上記ＵＩＤについては書き込みを行わず、更新を行わないようになっている。
【００７５】
なお、上記物品種別情報、物品名、及び点検内容を表すその他情報が、特許請求の範囲各項記載のデータ本体を構成する。
【００７６】
図９は、上記ハンディリーダライタＲＷをリーダとして用いる場合の様子を示す図である。以下、点検者Ｍが装置ＤＶの３回目の定期点検を行う際に、前回の点検内容（すなわち２回目の定期点検の内容）を確認するために、ハンディリーダライタＲＷでタグラベルＴ２から２回目の点検内容を読み取る場合を例にとって説明する。
【００７７】
前述したように、装置ＤＶの側面には１回目の点検内容が記憶・印刷された上記タグラベルＴ１及び２回目の点検内容が記憶・印刷された上記タグラベルＴ２が互いに近傍となるように設けられている。このため、点検者ＭがハンディリーダライタＲＷを装置ＤＶの側面に近づけると、タグラベルＴ１，Ｔ２の両方が通信範囲に入り、両方のタグラベルＴ１，Ｔ２の無線タグ回路素子Ｔoから無線タグ情報が読み込まれる。このとき、ハンディリーダライタＲＷでは、読み込んだ無線タグ情報の中に同一物品名が含まれる場合、これらの作成日時情報を比較して最新のもの（ここではタグラベルＴ２）を選択し、当該選択したタグラベルＴの無線タグ回路素子Ｔoの無線タグ情報を取得する。
【００７８】
なお、この図において、ハンディリーダライタＲＷとタグラベルＴ１，Ｔ２の各無線タグ回路素子Ｔoとが、特許請求の範囲各項記載の無線タグ通信システムを構成する。
【００７９】
図１０は、上述のようにハンディリーダライタＲＷで上記装置ＤＶの側面に設けられた２つのタグラベルＴ１，Ｔ２の無線タグ回路素子Ｔoから無線タグ情報の読み取りを行う際に、制御回路３１１が実行する制御手順を表すフローチャートである。例えば点検者ＭによりハンディリーダライタＲＷの上記操作部３１０を介してスキャン開始指示が入力されることによって、このフローが開始される。
【００８０】
この図１０において、まずステップＳ１１０では、高周波回路３０１Ｒ及びアンテナ３０６Ｒを介し、複数のタグラベルＴ（本例ではタグラベルＴ１，Ｔ２）の無線タグ回路素子ＴoのＩＣ回路部１５０にそれぞれ記憶された情報を読み取るための問い合わせ信号を生成して高周波回路３０１Ｒを介して通信範囲内に存在する無線タグ回路素子Ｔoに送信し、返信を促す。
【００８１】
その後、ステップＳ１２０に移り、上記問い合わせ信号に対応し複数のタグラベルＴ（タグラベルＴ１，Ｔ２）の無線タグ回路素子Ｔoから送信（返信）されたリプライ信号がアンテナ３０６Ｒを介しそれぞれ受信され、高周波回路３０１Ｒを介し制御回路３１１へ取り込まれたかどうかを判定する。複数のタグラベルＴからリプライ信号が受信されていなければ判定が満たされずにステップＳ１２５に移り、単一のタグラベルＴ（すなわちタグラベルＴ１，Ｔ２のいずれか一方）の無線タグ回路素子Ｔoから送信（返信）されたリプライ信号がアンテナ３０６Ｒを介し受信されたかどうかを判定する。どちらも受信されていない場合には、判定が満たされずに上記ステップＳ１１０に戻って同様の手順を繰り返す。一方、単一のタグラベルＴからリプライ信号を受信している場合には、ステップＳ１２７に移り、当該リプライ信号を受信したタグラベルＴのタグデータを読み取り取得する。そして、後述のステップＳ１８０に移る。
【００８２】
なお、上記ステップＳ１２０で複数のタグラベルＴ（タグラベルＴ１，Ｔ２）の両方の無線タグ回路素子Ｔoからリプライ信号を受信している場合には、判定が満たされて次のステップＳ１３０に移る。
【００８３】
ステップＳ１３０では、上記複数のタグラベルＴ（タグラベルＴ１，Ｔ２）の無線タグ回路素子Ｔoからそれぞれ受信されたリプライ信号に基づき、各タグラベルＴのＩＣ回路部１５０に記憶されているタグデータ（ＵＩＤ、物品種別情報、物品名、その他の情報、及び日時情報）を読み出して取得する。なお、これらの読み出した情報は適宜の記憶手段（例えば制御回路３１１が有する前記ＲＡＭ３１１Ｃ等）に一時的に記憶される。
【００８４】
次のステップＳ１４０では、上記ステップＳ１３０で複数のタグラベルＴから読み出し記憶したタグデータから物品名を取得し、それらを比較して同一物品名であるタグラベルＴが含まれるか否かを判定する。同一物品名のタグラベルＴがない場合には、判定が満たされずにステップＳ１４５に移り、複数のタグラベルＴのそれぞれについてタグデータを読み取り取得する。そして、後述のステップＳ１８０に移る。一方、本例のタグラベルＴ１，Ｔ２のように物品名が装置ＤＶで同一であるタグラベルＴが含まれる場合には、判定が満たされて次のステップＳ１５０に移る。
【００８５】
ステップＳ１５０では、上記ステップＳ１３０で複数のタグラベルＴから読み出し記憶したタグデータから、上記物品名が同一である複数のタグラベルＴ（タグラベルＴ１，Ｔ２）の日時情報を取得する。
【００８６】
次のステップＳ１６０では、上記ステップＳ１５０で取得した日時情報に基づき、データ取得を優先するタグラベルＴを特定する。本例では、前回の点検内容（すなわち２回目の定期点検の内容）を確認することが目的であるので、複数のタグラベルＴの中から作成日時情報が最新であるタグラベルＴ（すなわちタグラベルＴ２）を特定する。そして、次のステップＳ１７０に移る。
【００８７】
ステップＳ１７０では、上記ステップＳ１３０で複数のタグラベルＴから読み出し記憶したタグデータから、上記ステップＳ１６０で特定したタグラベルＴ（本例ではタグラベルＴ２）についてのタグデータを抽出して取得する。そして、次のステップＳ１８０に移る。
【００８８】
次のステップＳ１８０では、表示部３０９に制御信号を出力し、先のステップＳ１２７、ステップＳ１４５、または上記ステップＳ１７０で取得したタグデータ（物品名、点検内容等）を表示する。そして、本フローを終了する。
【００８９】
なお、上記フローにおいて、ステップＳ１３０の手順は、特許請求の範囲各項記載の通信手段を介し、問いかけ信号を用いて、複数の無線タグ回路素子のＩＣ回路部に記憶されたタグ識別情報と作成日時情報とを取得する情報取得手段を構成し、ステップＳ１６０の手順は、情報取得手段で取得した作成日時情報とタグ識別情報とに基づき、データ本体の取得対象となる無線タグ回路素子を特定するタグ特定手段を構成する。また、ステップＳ１７０の手順は、タグ特定手段で特定した無線タグ回路素子より、通信手段を介し、ＩＣ回路部に記憶されたデータ本体を取得するデータ取得手段を構成する。
【００９０】
また、上記フローでは取得したタグデータの表示を行うようにしたが、読み出したデータの処理としてはこれに限られず、例えば取得したタグデータを適宜の通信手段（無線通信等）を介してデータサーバ等に送信するようにしてもよい。
【００９１】
さらに、上記では日時情報を比較して最新である方を特定するようにしたが、これに限られず、古い方を特定するようにしてもよい。また、ある範囲の期間を指定して日時情報がその範囲内にあるタグラベルＴを特定できるようにしてもよい。
【００９２】
また、上記では複数のタグラベルＴから物品名が同一であるタグラベルＴに絞り込み日時情報を比較するようにしたが、これに限られず、上記物品種別情報を用いて物品種別が同一であるタグラベルＴに絞り込み日時情報を比較するようにしてもよい。
【００９３】
さらに、上記では２つのタグラベルＴ１，Ｔ２のうちの一方のタグを特定してタグデータを読み取る場合を例にとって説明したが、さらに多数のタグラベルＴからタグを特定してデータを読み取る場合にも同様の制御を行うことにより適用可能である。
【００９４】
なお、上記では特に説明しなかったが、ハンディリーダライタＲＷで旧タグを読み取って新タグを作成する場合において、旧タグが複数ある場合には、前述の図６に示すフローにおけるステップＳ１０〜ステップＳ３０において、上記図１０に示す制御を行ってタグラベルＴを特定してタグデータを取得し、その後図６中のステップＳ４０以降の手順を行う。これにより、装置ＤＶの３回目以降の定期点検においても前述したタグラベルＴ２と同様にしてタグラベルＴを作成することが可能となっている。
【００９５】
以上説明した本発明の一実施形態においては、複数の無線タグ回路素子Ｔo（タグラベルＴ）のそれぞれが、ＩＣ回路部１５０にタグ識別情報としてのＵＩＤと点検内容等のデータ本体以外に作成日時情報を記憶しており、これら複数の無線タグ回路素子Ｔoに対し、アンテナ３０６Ｒを介した無線通信により情報送受信が行われる。このとき、制御回路３１１の制御により問いかけ信号を用いて各無線タグ回路素子ＴoよりＵＩＤと作成日時情報とを取得し、その作成日時情報とＵＩＤとに基づいて、データの取得対象となる無線タグ回路素子Ｔoを特定する。これにより、ハンディリーダライタＲＷからの通信範囲に、作成日時が新旧混在する複数の無線タグ回路素子Ｔoが混在していたとしても、それぞれの作成日時が古いか新しいかに応じて所望の無線タグ回路素子Ｔoを選択し、データ取得対象として特定することができる。この結果、所望の無線タグ回路素子Ｔoより迅速かつ容易にデータ本体の取得を行うことができる。
【００９６】
また、本実施形態では特に、作成日時情報が最新であるタグラベルＴの無線タグ回路素子Ｔoをデータ取得対象として特定する。これにより、作成日時が最も新しいタグラベルＴを選択特定し、タグデータの取得を行うことができる。この結果、同一管理対象物に対して複数のタグラベルＴが作成されていた場合でも、確実に最も最近に作成されたタグラベルＴの無線タグ回路素子Ｔoより最新のタグデータの取得を行うことができる。
【００９７】
また、本実施形態では特に、作成日時情報が最新であるタグラベルＴを特定し、その無線タグ回路素子Ｔoから取得したデータ（物品名等）を表示部３０９で表示する。これにより、データの取得を行ったタグラベルＴの無線タグ回路素子Ｔoに対応する管理対象物品を、視覚的に確実に点検者に報知することができる。
【００９８】
また、本実施形態では特に、ハンディリーダライタＲＷを操作者が携帯可能な携帯型通信装置として構成する。これにより、点検者Ｍは容易に持ち運ぶことができるハンディリーダライタＲＷを用いて、所望のタグラベルＴを選択特定し、迅速かつ容易にタグデータの取得を行うことができる。
【００９９】
なお、本発明は、上記の各実施形態に限られず、その趣旨と技術思想の範囲を逸脱しない範囲で更に種々の変形が可能である。以下その変形例を説明する。
【０１００】
（１）サーバに点検情報等を格納する場合
上記実施形態では、物品種別情報、物品名、点検内容を表すその他情報、及び日時情報等を全て無線タグ回路素子ＴoのＩＣ回路部１５０に記憶させるようにしたが、これに限られず、上記情報の少なくとも一部をハンディリーダライタＲＷと有線または無線による通信（例えば無線ＬＡＮ、Ｂｌｕｅｔｏｏｔｈ等）を介して情報の送受信が可能なデータサーバ等に格納し、当該格納した情報と関連付けられた関連付け情報（ＩＤ等）を無線タグ回路素子Ｔoに書き込むようにしてもよい。
【０１０１】
図１１は、本変形例におけるタグラベル（無線タグ）を作成するときの様子を示す図である。この図１１に示すように、本変形例ではハンディリーダライタＲＷと基地局２０４とが無線通信可能となっており、ハンディリーダライタＲＷで作成された物品名等の情報は、無線通信、アンテナ２０５、基地局２０４及び通信回線２０６を経て、サーバ２０７のデータベースＤＢに送信されるようになっている。
【０１０２】
図１２は、本変形例において、ハンディリーダライタＲＷで２回目の点検内容を表すタグラベルＴ２の作成を行う際に、制御回路３１１’（図示せず）が実行する制御手順を表すフローチャートであり、前述の図６に対応する図である。
【０１０３】
この図１２において、ステップＳ１０〜ステップＳ５０は前述の図６と同様であり、旧タグであるタグラベルＴ１から読み取ったタグデータから引継データを抽出するとともに、更新データの入力を行う。
【０１０４】
次のステップＳ６０Ａでは、上記引継データと上記入力した更新データとを合わせることにより、サーバ２０７のデータベースＤＢに書き込むための新タグ用データを作成する。
【０１０５】
次のステップＳ６５では、上記ステップＳ６０Ａで作成した新タグ用データと関連づけた関連づけ情報（ＩＤ）を作成する。
【０１０６】
次のステップＳ７０は前述の図６と同様であり、引継データと更新データとに基づき印字データを作成する。そして、次のステップＳ８０Ａでは、上記ステップＳ６５で作成した関連づけ情報（ＩＤ）を、無線タグ回路素子ＴoのＩＣ回路部１５０へ書き込むとともに、上記ステップＳ７０で作成した印字データに基づいた印字ヘッド３０５による印字を行う。
【０１０７】
次のステップＳ９０は前述の図６と同様であり、印字及び情報書き込みが終了したタグテープ３０３をカッタ３０７で所定の長さに切断して無線タグラベルＴを形成し、次のステップＳ９５では、上記ステップＳ６０Ａで作成した新タグ用データを無線通信、アンテナ２０５、基地局２０４及び通信回線２０６を経て、サーバ２０７のデータベースＤＢに送信し格納する。以上で本フローを終了する。
【０１０８】
なお、以上のようにして作成されたタグラベルＴからタグデータの読み取りを行う場合には、前述の図１０のステップＳ１３０で無線タグ回路素子Ｔoから上記関連付け情報を読み取り、当該情報に関連付けられた上記新タグ用データをサーバ２０７のデータベースＤＢから通信回線２０６及び無線通信を介して取得すれば足りる。その後は図１０と同様の手順を行うことにより、優先するタグを特定してそのタグデータを取得することができる。
【０１０９】
以上説明した変形例によっても、上記実施形態と同様の効果を得る。
【０１１０】
（２）本発明のその他の適用例
上記実施形態では、本発明の無線タグ通信装置を管理対象物品である装置ＤＶの点検管理に適用した場合を一例として説明したが、本発明はその他の種々の場面に適用可能である。例えば、スーパーマーケット等において生鮮食品である商品を夕方以降に値下げする場合や、百貨店等においてバーゲン時期に商品価格を値下げする場合等、商品価格を変更する場合に適用可能である。
【０１１１】
図１３は、このような商品価格を変更する場合において、ハンディリーダライタＲＷで作成したタグラベルの一例を表す図である。
【０１１２】
この図１３は、生鮮食品（この例では魚Ｆ）がラッピングされた商品ＡＲの価格が夕方５時以降に３０％ＯＦＦとなる場合を示しており、商品ＡＲには先に作成されたタグラベルＴ１’と後に作成されたタグラベルＴ２’とが添付されている。タグラベルＴ１’の無線タグ回路素子Ｔoには、ＵＩＤ、物品名、値下げ前の価格、日時情報が記憶されており、タグラベルＴ２’の無線タグ回路素子Ｔoには、ＵＩＤ、物品名、３０％値下げ後の価格、日時情報が記憶されている。
【０１１３】
上記タグラベルＴ２’は、ハンディリーダライタＲＷにより前述の実施形態と同様の手順で作成される。すなわち、まず店員はハンディリーダライタＲＷを商品ＡＲの上面に添付された上記タグラベルＴ１’に近づけ、タグラベルＴ１’に備えられる無線タグ回路素子Ｔoのタグデータの読み取りを行う。次に、店員がハンディリーダライタＲＷの操作部３１０を用いて更新情報（すなわち夕方５時以降に価格を３０％下げるという情報）を入力すると、この入力データ及び自動的に作成される日時情報に基づき、上記タグラベルＴ１’から読み込んだ読み取りデータの一部が更新されてタグデータが作成され、当該タグデータが書き込まれた無線タグ回路素子Ｔoを有するタグラベルＴ２’が作成される。そして、店員は夕方５時を過ぎた時点で上記作成したタグラベルＴ２’を商品ＡＲの上面のタグラベルＴ１’の隣に取り付ける。
【０１１４】
一方、このようにしてタグラベルＴ１’，Ｔ２’が添付された商品ＡＲに対し、ハンディリーダライタＲＷでタグ情報を読み取る際も上記実施形態と同様の手順で行う。すなわち、店員がハンディリーダライタＲＷを商品ＡＲの上面に近づけると、両方のタグラベルＴ１’，Ｔ２’の無線タグ回路素子Ｔoから無線タグ情報が読み込まれ、これらの情報中の作成日時情報を比較して最新のもの（ここではタグラベルＴ２’）を選択し、当該選択したタグラベルＴ２’の無線タグ回路素子Ｔoの無線タグ情報を取得する。これにより、商品ＡＲの最新の情報（３０％下げられた価格情報）を取得することができる。すなわち商品情報が変化しても古い無線タグ回路素子Ｔoを除去することなく、正しい情報を得ることができるのである。
【０１１５】
なお、上記は一例であり、以上述べた以外にも、本発明はその他の種々の場面に適用可能である。
（３）その他
また、以上においては、ハンディリーダライタＲＷにおいて移動中のタグテープ３０３に対して無線タグ情報の書き込み・読み取りや印字を行う例を示したが、これに限られず、タグテープ３０３を所定位置で停止させて（さらに読み取り・書き込みについては所定の搬送ガイドにて保持した状態としてもよい）上記印字や読み取り・書き込みを行うようにしてもよい。
【０１１６】
また、以上において、印字及び無線タグ回路素子Ｔoへのアクセス（読み取り又は書き込み）の終了したタグテープ３０３をカッタ３０７で切断してタグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３０７で切断しなくても、テープが排出口から排出されてきた後にラベル台紙（アクセス済みの無線タグ回路素子Ｔoが備えられかつ対応する印字がなされたもの）のみをテープから剥がしてタグラベルＴを作成しても良く、本発明はこのようなものに対しても適用できる。
【０１１７】
また、以上においては、タグテープ３０３に印字を行う方式（貼りあわせを行わないタイプ）であったが、これに限られず、無線タグ回路素子Ｔoを備えたタグテープ３０３とは別のカバーフィルムに印字を行ってこれらを貼り合わせる方式に本発明を適用してもよい。
【０１１８】
さらに、以上は、タグテープがリール部材の周りに巻回されてロールを構成し、そのロールからタグテープが繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）おき、この収納部から移送、搬送して印字及び書き込みを行いタグラベルを作成するようにしてもよい。
【０１１９】
また、以上既に述べた以外にも、上記実施形態や各変形例による手法を適宜組み合わせて利用しても良い。
【０１２０】
その他、一々例示はしないが、本発明は、その趣旨を逸脱しない範囲内において、種々の変更が加えられて実施されるものである。
【図面の簡単な説明】
【０１２１】
【図１】点検者が装置の点検を終了し、その内容を記録したタグラベルを作成するときの様子を示す図である。
【図２】ハンディリーダライタの全体構成を概念的に表す全体構成図である。
【図３】ハンディリーダライタの制御系の構成を表す機能ブロック図である。
【図４】制御回路の詳細機能を表す機能ブロック図である。
【図５】タグテープ及びタグラベルに備えられた無線タグ回路素子の機能的構成の一例を表すブロック図である。
【図６】ハンディリーダライタで２回目の点検内容を表すタグラベルの作成を行う際に、制御回路が実行する制御手順を表すフローチャートである。
【図７】ハンディリーダライタで作成されたタグラベルの全体概略構造の一例を表す上面図である。
【図８】タグラベルの無線タグ回路素子の記憶内容と新たに作成されたタグラベルの無線タグ回路素子の記憶内容とを概念的に表し比較した図である。
【図９】ハンディリーダライタをリーダとして用いる場合の様子を示す図である。
【図１０】ハンディリーダライタで装置の側面に設けられた２つのタグラベルの無線タグ回路素子から無線タグ情報の読み取りを行う際に、制御回路が実行する制御手順を表すフローチャートである。
【図１１】サーバに点検情報等を格納する場合の変形例におけるタグラベルを作成するときの様子を示す図である。
【図１２】サーバに点検情報等を格納する場合の変形例において、ハンディリーダライタで２回目の点検内容を表すタグラベルの作成を行う際に、制御回路が実行する制御手順を表すフローチャートである。
【図１３】商品価格を変更する場面に本発明を適用する場合おいて、ハンディリーダライタで作成したタグラベルの一例を表す図である。
【符号の説明】
【０１２２】
１５０          ＩＣ回路部
１５１          アンテナ（タグ側アンテナ）
３０２          計時回路（時計手段）
３０３          タグテープ（タグ媒体）
３０６Ｒ        アンテナ（通信手段）
３０６Ｗ        アンテナ（通信手段）
３０８          搬送ローラ（搬送手段）
３０９          表示部（表示手段）
３１１          制御回路
３１１’        制御回路
ＤＶ            装置（管理対象物品）
ＲＷ            ハンディリーダライタ（無線タグ通信装置、携帯型通信装置）
Ｔ              タグラベル（無線タグ）
Ｔo             無線タグ回路素子（第１無線タグ回路素子、第２無線タグ回路素子）
【図１】
2008123313.tif 000003
【図２】
2008123313.tif 000004
【図３】
2008123313.tif 000005
【図４】
2008123313.tif 000006
【図５】
2008123313.tif 000007
【図６】
2008123313.tif 000008
【図７】
2008123313.tif 000009
【図８】
2008123313.tif 000010
【図９】
2008123313.tif 000011
【図１０】
2008123313.tif 000012
【図１１】
2008123313.tif 000013
【図１２】
2008123313.tif 000014
【図１３】
2008123313.tif 000015